(57)【特許請求の範囲】
【請求項１】
変形前のタービンコンポーネントを３次元計測するステップと、
前記タービンコンポーネントの解析モデルを作成するステップと、
前記変形前のタービンコンポーネントが分割された複数のメッシュを所定の大きさの単位領域に区画するステップと、
前記解析モデルを用いて前記単位領域の前記複数のメッシュに対して一様な非弾性ひずみを入力して前記タービンコンポーネントの解析モデル形状を形成するステップと、
変形後のタービンコンポーネントを３次元計測するステップと、
前記タービンコンポーネントの解析モデル形状と変形後の前記タービンコンポーネントの形状とを比較するステップと、
前記タービンコンポーネントの解析モデル形状と変形後の前記タービンコンポーネントの形状との比較結果が収束条件を満たさないときに前記解析モデルに入力する非弾性ひずみを変更して再度前記タービンコンポーネントの解析モデル形状を形成するステップと、
前記タービンコンポーネントの解析モデル形状と変形後の前記タービンコンポーネントの形状との比較結果が収束条件を満たすときに前記解析モデルに入力した非弾性ひずみを確定するステップと、
を有することを特徴とするタービンコンポーネントのひずみ推定方法。
【請求項２】
前記単位領域は、前記タービンコンポーネントに対して複数設定し、複数の前記単位領域ごとに異なる非弾性ひずみを入力することを特徴とする請求項１に記載のタービンコンポーネントのひずみ推定方法。
【請求項３】
前記解析モデルを用いて入力する一様な非弾性ひずみとは、同一の非弾性ひずみであることを特徴とする請求項１または請求項２に記載のタービンコンポーネントのひずみ推定方法。
【請求項４】
前記解析モデルを用いて入力する一様な非弾性ひずみとは、線形に変化する非弾性ひずみであることを特徴とする請求項１または請求項２に記載のタービンコンポーネントのひずみ推定方法。
【請求項５】
前記収束条件は、前記タービンコンポーネントの解析モデル形状と３次元計測した変形後の前記タービンコンポーネントの形状との変形差が予め設定された規定値以内にあることを特徴とする請求項１から請求項４のいずれか一項に記載のタービンコンポーネントのひずみ推定方法。
【請求項６】
前記変形差とは、前記タービンコンポーネントの解析モデルの体積形状と３次元計測した変形後の前記タービンコンポーネントの体積形状とのずれ体積量であることを特徴とする請求項５に記載のタービンコンポーネントのひずみ推定方法。
【請求項７】
変形前のタービンコンポーネントを３次元計測するステップと、
前記タービンコンポーネントの解析モデルを作成するステップと、
前記解析モデルに複数種類の変形条件を入力して前記タービンコンポーネントの複数の解析モデル形状を形成するステップと、
変形後のタービンコンポーネントを３次元計測するステップと、
前記タービンコンポーネントの複数の解析モデル形状と変形後の前記タービンコンポーネントの形状とを比較するステップと、
前記タービンコンポーネントの複数の解析モデル形状と変形後の前記タービンコンポーネントの形状との変形差が最小となる前記解析モデル形状に入力した非弾性ひずみを確定するステップと、
を有することを特徴とするタービンコンポーネントのひずみ推定方法。
【請求項８】
タービンコンポーネントを３次元計測する計測部と、
前記計測部が計測した変形前の前記タービンコンポーネントが分割された複数のメッシュを所定の大きさの単位領域に区画し、解析モデルを用いて前記単位領域の前記複数のメッシュに対して一様な非弾性ひずみを入力して前記タービンコンポーネントの解析モデル形状を求める演算部と、
前記タービンコンポーネントの解析モデル形状と前記計測部が計測した変形後の前記タービンコンポーネントの形状とを比較する比較部と、
前記比較部の比較結果が収束条件を満たさないときに前記演算部の処理を繰り返す一方、前記比較部の比較結果が収束条件を満たすときに解析モデルに入力する非弾性ひずみを確定する判定部と、
を備えることを特徴とするタービンコンポーネントのひずみ推定装置。
【請求項９】
請求項１から請求項７のいずれか一項に記載のタービンコンポーネントのひずみ推定方法により推定した非弾性ひずみを用いて前記タービンコンポーネントを評価することを特徴とするタービンコンポーネントの評価方法。
【発明の詳細な説明】
【技術分野】
【０００１】
本発明は、蒸気タービンやガスタービンなどにタービンコンポーネントとして使用される部材における非弾性ひずみを推定するタービンコンポーネントのひずみ推定方法及び装置、タービンコンポーネントの評価方法に関するものである。
【背景技術】
【０００２】
例えば、ガスタービンは、圧縮機と燃焼器とタービンにより構成されている。そして、空気取入口から取り込まれた空気が圧縮機によって圧縮されることで高温・高圧の圧縮空気となり、燃焼器にて、この圧縮空気に対して燃料を供給して燃焼させることで高温・高圧の燃焼ガス（作動流体）を得て、この燃焼ガスによりタービンを駆動し、このタービンに連結された発電機を駆動する。このガスタービンにて、圧縮機やタービンに使用される動翼は、回転時に作用する遠心力や熱の影響により損傷を受ける。そのため、使用された動翼に対して損傷の予測解析を実施し、損傷の予測やき裂の有無などの点検調査などを実施することで健全性の維持に努めている。
【０００３】
動翼に対するクリープ変形量で損傷を評価する手法として、例えば、下記特許文献１に記載されたものがある。この特許文献１に記載されたタービンコンポーネントのクリープ能力を決定するための方法は、複数のタービンコンポーネントに引張応力、遠心応力、熱応力を測定可能な量のクリープが得られるまで加え、タービンコンポーネントで使用される材料に対する知られているクリープ特性に対して比較し、定義済みの量より大きいクリープを示すコンポーネントを分離して運用から外すものである。
【先行技術文献】
【特許文献】
【０００４】
【特許文献１】特開２０１３−２５３５９９号公報
【発明の概要】
【発明が解決しようとする課題】
【０００５】
上述した従来のタービンコンポーネントのクリープ能力を決定するための方法では、試験装置で動翼に対して引張応力、遠心応力、熱応力を与えることでクリープ変形を誘発させ、このときに得られたひずみ量またはその蓄積速度を、クリープ特性を有する材料から定義された公差値と比較して動翼を評価している。ところが、試験装置により各応力が与えられた動翼と、実際のプラントでの運転中に各種の応力が作用した動翼とでは、ひずみ量に差があり、動翼のクリープ損傷を高精度に予測することは困難である。
【０００６】
本発明は上述した課題を解決するものであり、タービンコンポーネントに発生した非弾性ひずみを精度良く推定することができるタービンコンポーネントのひずみ推定方法及び装置、タービンコンポーネントの評価方法を提供することを目的とする。
【課題を解決するための手段】
【０００７】
上記の目的を達成するための本発明のタービンコンポーネントのひずみ推定方法は、変形前のタービンコンポーネントを３次元計測するステップと、前記タービンコンポーネントの解析モデルを作成するステップと、前記変形前のタービンコンポーネントが分割された複数のメッシュを所定の大きさの単位領域に区画するステップと、前記解析モデルを用いて前記単位領域の前記複数のメッシュに対して一様な非弾性ひずみを入力して前記タービンコンポーネントの解析モデル形状を形成するステップと、変形後のタービンコンポーネントを３次元計測するステップと、前記タービンコンポーネントの解析モデル形状と変形後の前記タービンコンポーネントの形状とを比較するステップと、前記タービンコンポーネントの解析モデル形状と変形後の前記タービンコンポーネントの形状との比較結果が収束条件を満たさないときに前記解析モデルに入力する非弾性ひずみを変更するステップと、前記タービンコンポーネントの解析モデル形状と変形後の前記タービンコンポーネントの形状との比較結果が収束条件を満たすときに前記解析モデルに入力した非弾性ひずみを確定するステップと、を有することを特徴とするものである。
【０００８】
従って、変形前のタービンコンポーネントが分割された複数のメッシュを所定の大きさの単位領域に区画し、解析モデルを用いて単位領域の各メッシュに一様な非弾性ひずみを入力してタービンコンポーネントの解析モデル形状を形成し、変形後のタービンコンポーネントと比較する。ここで、比較結果が収束条件を満たさないときは、解析モデルに入力する非弾性ひずみを繰り返し変更することで、比較結果が収束条件を満たすようにし、収束条件を満たした非弾性ひずみを確定して出力する。そのため、単位領域に一様な非弾性ひずみを入力することで、逆解析時における変数（パラメータ）の数が減少して発散を防止することができると共に、自由に非弾性ひずみを入力して解析を行うことでタービンコンポーネントに発生した非弾性ひずみを精度良く推定することができる。
【０００９】
本発明のタービンコンポーネントのひずみ推定方法では、前記単位領域は、前記タービンコンポーネントに対して複数設定し、複数の前記単位領域ごとに異なる非弾性ひずみを入力することを特徴としている。
【００１０】
従って、設定された複数の単位領域に対して異なる大きさの非弾性ひずみを入力することで、タービンコンポーネントの変形に応じた適正な解析モデル形状を形成することができる。
【００１１】
本発明のタービンコンポーネントのひずみ推定方法では、前記解析モデルを用いて入力する一様な非弾性ひずみとは、同一の非弾性ひずみであることを特徴としている。
【００１２】
従って、１つの単位領域における複数のメッシュに同一の大きさの非弾性ひずみを入力することで、変数（パラメータ）の数が減少して発散を防止することができる。
【００１３】
本発明のタービンコンポーネントのひずみ推定方法では、前記解析モデルを用いて入力する一様な非弾性ひずみとは、線形に変化する非弾性ひずみであることを特徴としている。
【００１４】
従って、１つの単位領域における複数のメッシュに線形に変化する非弾性ひずみを入力することで、変数（パラメータ）の数が減少して発散を防止することができる。
【００１５】
本発明のタービンコンポーネントのひずみ推定方法では、前記収束条件は、前記タービンコンポーネントの解析モデル形状と３次元計測した変形後の前記タービンコンポーネントの形状との変形差が予め設定された規定値以内にあることを特徴としている。
【００１６】
従って、解析モデル形状と変形後のタービンコンポーネントの形状との変形差が規定値以内にあるときに、収束条件を満たして解析モデルに入力した非弾性ひずみを確定することで、タービンコンポーネントにマークを付けたり、加工を施す必要がなく、容易に変形差を比較することができる。
【００１７】
本発明のタービンコンポーネントのひずみ推定方法では、前記変形差とは、前記タービンコンポーネントの解析モデルの体積形状と３次元計測した変形後の前記タービンコンポーネントの体積形状とのずれ体積量であることを特徴としている。
【００１８】
従って、変形差を解析モデルの体積形状と変形後の前記タービンコンポーネントの体積形状とのずれ体積量とすることで、高精度に変形差を求めることができる。
【００１９】
また、本発明のタービンコンポーネントのひずみ推定方法は、変形前のタービンコンポーネントを３次元計測するステップと、前記タービンコンポーネントの解析モデルを作成するステップと、前記解析モデルに複数種類の変形条件を入力して前記タービンコンポーネントの複数の解析モデル形状を形成するステップと、変形後のタービンコンポーネントを３次元計測するステップと、前記タービンコンポーネントの複数の解析モデル形状と変形後の前記タービンコンポーネントの形状とを比較するステップと、前記タービンコンポーネントの複数の解析モデル形状と変形後の前記タービンコンポーネントの形状との変形差が最小となる前記解析モデル形状に入力した非弾性ひずみを確定するステップと、を有することを特徴とするものである。
【００２０】
従って、解析モデルに複数種類の変形条件を入力してタービンコンポーネントの複数の解析モデル形状を形成し、変形後のタービンコンポーネントの形状と比較する。ここで、タービンコンポーネントの複数の解析モデル形状と変形後のタービンコンポーネントの形状との変形差が最小となる非弾性ひずみを確定して出力する。そのため、逆解析時における変数（パラメータ）の数が減少して発散を防止することができると共に、自由に非弾性ひずみを入力して解析を行うことでタービンコンポーネントに発生した非弾性ひずみを精度良く推定することができる。
【００２１】
また、本発明のタービンコンポーネントのひずみ推定装置は、タービンコンポーネントを３次元計測する計測部と、前記計測部が計測した変形前の前記タービンコンポーネントが分割された複数のメッシュを所定の大きさの単位領域に区画し、解析モデルを用いて前記単位領域の前記複数のメッシュに対して一様な非弾性ひずみを入力して前記タービンコンポーネントの解析モデル形状を求める演算部と、前記タービンコンポーネントの解析モデル形状と前記計測部が計測した変形後の前記タービンコンポーネントの形状とを比較する比較部と、前記比較部の比較結果が収束条件を満たさないときに前記演算部の処理を繰り返す一方、前記比較部の比較結果が収束条件を満たすときに解析モデルに入力する非弾性ひずみを確定する判定部と、を備えることを特徴とするものである。
【００２２】
従って、変形前のタービンコンポーネントが分割された複数のメッシュを所定の大きさの単位領域に区画し、解析モデルを用いて単位領域の各メッシュに一様な非弾性ひずみを入力してタービンコンポーネントの解析モデル形状を形成し、変形後のタービンコンポーネントと比較する。ここで、比較結果が収束条件を満たさないときは、解析モデルに入力する非弾性ひずみを繰り返し変更することで、比較結果が収束条件を満たすようにし、収束条件を満たした非弾性ひずみを確定して出力する。そのため、単位領域に一様な非弾性ひずみを入力することで、逆解析時における変数（パラメータ）の数が減少して発散を防止することができると共に、自由に非弾性ひずみを入力して解析を行うことでタービンコンポーネントに発生した非弾性ひずみを精度良く推定することができる。
【００２３】
また、本発明のタービンコンポーネントの評価方法は、前記タービンコンポーネントのひずみ推定方法により推定した非弾性ひずみを用いて前記タービンコンポーネントを評価することを特徴とするものである。
【００２４】
従って、逆解析時における変数（パラメータ）の数が減少して発散を防止することができると共に、自由に非弾性ひずみを入力して解析を行うことでタービンコンポーネントに発生した非弾性ひずみを精度良く推定することができ、その結果、タービンコンポーネントの評価を精度良く実施することができる。
【発明の効果】
【００２５】
本発明のタービンコンポーネントのひずみ推定方法及び装置、タービンコンポーネントの評価方法によれば、逆解析時における変数（パラメータ）の数が減少して発散を防止することができると共に、自由に非弾性ひずみを入力して解析を行うことでタービンコンポーネントに発生した非弾性ひずみを精度良く推定することができる。
【図面の簡単な説明】
【００２６】
【図１】図１は、第１実施形態のタービン動翼のひずみ推定装置を表すブロック構成図である。
【図２】図２は、使用後のタービン動翼の評価方法を表すフローチャートである。
【図３】図３は、変形処理後のタービン動翼の評価方法を表すフローチャートである。
【図４】図４は、第１実施形態のタービン動翼のひずみ推定方法を表すフローチャートである。
【図５】図５は、タービン動翼のひずみ推定方法を説明するための概略図である。
【図６】図６は、第２実施形態のタービン動翼のひずみ推定方法を表すフローチャートである。
【発明を実施するための形態】
【００２７】
以下に添付図面を参照して、本発明に係るタービンコンポーネントのひずみ推定方法の好適な実施形態を詳細に説明する。なお、この実施形態により本発明が限定されるものではなく、また、実施形態が複数ある場合には、各実施形態を組み合わせて構成するものも含むものである。
【００２８】
［第１実施形態］
第１実施形態では、タービンコンポーネントとしてタービン動翼を用いて説明する。タービン動翼のひずみ推定方法を用いたタービン動翼の評価方法は、変形後のタービン動翼に対して３次元（３Ｄ）計測を実施し、３次元計測結果を用いた逆解析（ＦＥＭ解析）を行うことで、タービン動翼における非弾性ひずみの発生量を予測し、タービン動翼を評価するものである。
【００２９】
タービン動翼が変形する要因としては、以下の３つの要因がある。第１の要因は、タービン動翼を実際のガスタービンに装着し、このガスタービンの運転中にタービン動翼に対して作用する各種の応力であり、この応力によりタービン動翼が変形して非弾性ひずみが発生する。第２の要因は、タービン動翼の製造過程で、形状修正のために行う曲げ加工（ひずみ修正）であり、このときにタービン動翼に塑性変形を与えるため残留応力が発生する。第３の要因は、タービン動翼の製造過程で、塑性変形による残留応力の付与を図るために行うショットピーニングであり、タービン動翼の全面に均一な残留応力を与えても翼が撓むが、このときのタービン動翼極表面に塑性変形を与えるため残留応力が発生する。
【００３０】
第１実施形態のタービン動翼のひずみ推定方法を用いたタービン動翼の評価方法は、上述した要因で変形したタービン動翼における非弾性ひずみの発生量を推定し、この推定結果からタービン動翼を評価するものである。
【００３１】
図１は、第１実施形態のタービン動翼のひずみ推定装置を表すブロック構成図である。
【００３２】
図１に示すように、第１実施形態のタービン動翼のひずみ推定装置１０は、解析装置１１を備えており、この解析装置１１は、計測部１２と、表示部１３と、記憶部１４とが接続されている。また、解析装置１１は、演算部２１と、比較部２２と、判定部２３とを備えている。
【００３３】
計測部１２は、製造されてガスタービンに装着される前（変形前）や変形処理前のタービン動翼（以下、動翼）３１（図５参照）、使用後や変形処理後の動翼３３を３次元（３Ｄ）計測するものである。解析装置１１は、所定の非弾性ひずみを設定して順解析（ＦＥＭ解析）を行うことで動翼３１の解析モデルを形成し、動翼３１の解析モデルと変形後の動翼３１とを比較し、逆解析を行うことで動翼３１における非弾性ひずみの発生量を予測するものである。表示部１３は、解析装置１１が推定した動翼３１における非弾性ひずみの発生量を表示し、記憶部１４は、解析装置１１が逐次演算して求めたデータを記憶する。
【００３４】
また、演算部２１は、計測部１２が計測した変形前の動翼３１の表面及び内部が分割された複数のメッシュを所定の大きさの単位領域に区画し、解析モデルを用いて単位領域の各メッシュに対して一様な非弾性ひずみを入力して動翼３１の解析モデル形状を求めるものである。比較部２２は、動翼３１の解析モデル形状と変形後の動翼３１の形状とを比較するものである。判定部２３は、比較部２２の比較結果が収束条件を満たさないときに演算部２１の処理を繰り返す一方、比較部２２の比較結果が収束条件を満たすきに解析モデルに入力する非弾性ひずみを確定するものである。
【００３５】
まず、変形後のタービン動翼の評価方法を説明する。図２は、使用後のタービン動翼の評価方法を表すフローチャート、図３は、変形処理後のタービン動翼の評価方法を表すフローチャートである。
【００３６】
図２に示すように、ステップＳ１１にて、動翼３１を製造し、ステップＳ１２にて、計測部１２により変形前の動翼３１の３次元形状を計測する。ステップＳ１３にて、動翼３１をガスタービンに装着し、このガスタービンを運転することで使用する。ステップＳ１４にて、ガスタービンの運転を停止し、動翼３１をガスタービンから取外し、計測部１２により変形後の動翼３１の３次元形状を計測する。ステップＳ１５にて、動翼３１における非弾性ひずみのＦＥＭ解析（有限要素解析）を実施し、ステップＳ１６にて、動翼３１のクリープひずみ量（ひずみの発生量）を推定する。そして、ステップＳ１７にて、推定したクリープひずみ量に基づいて動翼３１を評価する。この動翼３１の評価とは、推定したクリープひずみ量と予め設定された規定値とを比較することで、動翼３１の継続した使用を判定するものである。
【００３７】
また、図３に示すように、ステップＳ２１にて、動翼３１を製造（製造中）し、ステップＳ２２にて、計測部１２により変形前の動翼３１の３次元形状を計測する。なお、ここで、計測部１２による変形前の動翼３１の３次元形状の計測が実施できなかったとき、設計モデルを代わりに使用してもよい。ステップＳ２３にて、動翼３１に対して変形処理を実施する。この変形処理とは、上述した形状修正のために行う曲げ加工や塑性変形による加工硬化や残留応力の付与を図るために行うショットピーニングなどである。ステップＳ２４にて、変形処理を行った変形後の動翼３１を計測部１２により３次元形状を計測する。ステップＳ２５にて、動翼３１における非弾性ひずみのＦＥＭ解析（有限要素解析）を実施し、ステップＳ２６にて、動翼３１の塑性ひずみ量（塑性ひずみの発生量）を推定する。そして、ステップＳ２７にて、推定した塑性ひずみ量に基づいて動翼３１を評価する。
【００３８】
次に、タービン動翼のひずみ推定方法を説明する。具体的には、図２及び図３にて、ステップＳ１２，Ｓ２２〜ステップＳ１６，Ｓ２６の処理の説明である。図４は、第１実施形態のタービン動翼のひずみ推定方法を表すフローチャート、図５は、タービン動翼のひずみ推定方法を説明するための概略図である。
【００３９】
図４及び図５に示すように、ステップＳ３１にて、計測部１２は、変形前の動翼３１の３次元形状を計測し、ステップＳ３２にて、演算部２１は、動翼３１の解析モデルを作成する。そして、演算部２１は、ステップＳ３３にて、変形前の動翼３１の表面及び内部が分割された複数のメッシュを所定の大きさの単位領域に区画し、ステップＳ３４にて、解析モデルを用いて単位領域の複数のメッシュに対して一様な非弾性ひずみを入力する。
【００４０】
即ち、変形前の動翼３１の表面及び内部を複数のメッシュで分割することで空間を離散化し、複数のメッシュで形成される空間を所定の大きさの単位領域として区画する。例えば、領域Ｓを拡大したもので説明すると、複数のメッシュを所定の個数で区画し、単位領域Ａ１，Ａ２，Ａ３・・・を設定する。この場合、予め実験や順解析などにより求めた非弾性ひずみの発生量が大きい領域では、１つの単位領域の面積を小さくして単位領域を細かく分割することが望ましい。また、予め実験や順解析などにより求めた亀裂などが発生しやすい領域では、１つの単位領域の面積を小さくして単位領域を細かく分割することが望ましい。更に、予め実験や順解析などにより求めた非弾性ひずみの発生量の差（勾配）が大きい領域では、１つの単位領域の面積を小さくして単位領域を細かく分割することが望ましい。
【００４１】
動翼３１の運転中のクリープひずみの逆解析を行う場合は、翼面表面及び内部の全体に単位領域を設ける必要があるが、一方、歪修正の塑性ひずみの逆解析を行う場合は、通常プレス冶具の接する周辺のみ細かく分割すればよい、また、ショットピーニングは極表面にのみ塑性変形が発生するので、単位領域も極表面にのみ設定すればよい。
【００４２】
そして、複数の単位領域の各メッシュに対して一様な非弾性ひずみを入力する。ここで、一様な非弾性ひずみとは、所定の条件に対応して設定された大きさが同一の非弾性ひずみである。また、一様な非弾性ひずみとは、単位領域の一方の角部から他方の角部（コントロールポイント）に向けて線形（直性状）に変化（増加または減少）する非弾性ひずみである。この場合、非弾性ひずみの大きさは、逆解析により求める。
【００４３】
また、複数のメッシュで形成される空間を所定の大きさの単位領域として区画することで、動翼３１の表面及び内部に対して複数の単位領域が設定され、この複数の単位領域ごとに異なる大きさの非弾性ひずみを入力することとなる。そして、ステップＳ３４にて、解析モデルを用いて複数の単位領域における各メッシュに所定の大きさの非弾性ひずみが入力されると、演算部２１は、動翼３１の解析モデル形状３２を求める。
【００４４】
ステップＳ３５にて、計測部１２は、変形後の動翼３３の３次元形状を計測し、ステップＳ３６にて、比較部２２は、動翼３１の解析モデル形状３２と変形後の動翼３３の形状とを比較する。そして、ステップＳ３７にて、判定部２３は、動翼３１の解析モデル形状３２と変形後の動翼３３の形状との比較結果が収束条件を満たすかどうかを判定する。
【００４５】
ここで、収束条件とは、動翼３１の解析モデル形状３２と変形後の動翼３３の形状との変形差が予め設定された規定値以内にあることである。具体的に、この変形差とは、動翼３１の解析モデル形状３２の体積形状と、３次元計測した変形後の動翼３３の体積形状とのずれ体積量である。なお、ずれ体積量は、ずれ長さの自乗和でもよい。動翼３１の解析モデル形状３２の３次元形状と変形後の動翼３３の３次元形状とを重ね合わせたとき、両者が重ならない体積である。
【００４６】
ステップＳ３７にて、動翼３１の解析モデル形状３２と変形後の動翼３３の形状との変形差が規定値以内にないと判定（Ｎｏ）されると、ステップＳ３４に戻り、解析モデルに入力する非弾性ひずみの大きさを変更（増加または減少）し、ステップＳ５，Ｓ３６，Ｓ３７の処理を繰り返す。一方、ステップＳ３７にて、動翼３１の解析モデル形状３２と変形後の動翼３３の形状との変形差が規定値以内であると判定（Ｙｅｓ）されると、ステップＳ３８にて、解析モデルに入力した非弾性ひずみの大きさを確定し、推定値として出力する。
【００４７】
このように第１実施形態のタービンコンポーネントのひずみ推定方法にあっては、変形前の動翼３１を３次元計測するステップと、動翼３１の解析モデルを作成するステップと、変形前の動翼３１の表面及び内部が分割された複数のメッシュを所定の大きさの単位領域に区画するステップと、解析モデルを用いて単位領域の複数のメッシュに対して一様な非弾性ひずみを入力して動翼３１の解析モデル形状３２を形成するステップと、変形後の動翼３１を３次元計測するステップと、動翼３１の解析モデル形状３２と変形後の動翼３３の形状とを比較するステップと、動翼３１の解析モデル形状３２と変形後の動翼３３の形状との比較結果が収束条件を満たさないときに解析モデルに入力する非弾性ひずみを変更するステップと、動翼３１の解析モデル形状３２と変形後の動翼３３の形状との比較結果が収束条件を満たすときに解析モデルに入力した非弾性ひずみを確定するステップとを有する。
【００４８】
従って、単位領域に一様な非弾性ひずみを入力することで、逆解析時における変数（パラメータ）の数が減少して発散を防止することができると共に、自由に非弾性ひずみを入力して解析を行うことで動翼３１に発生した非弾性ひずみを精度良く推定することができる。
【００４９】
第１実施形態のタービンコンポーネントのひずみ推定方法では、単位領域を動翼３１の表面及び内部に対して複数設定し、複数の単位領域ごとに異なる非弾性ひずみを入力する。従って、動翼３１の変形に応じた適正な解析モデル形状３２を形成することができる。
【００５０】
第１実施形態のタービンコンポーネントのひずみ推定方法では、解析モデルを用いて入力する一様な非弾性ひずみとして、同一の非弾性ひずみを設定している。従って、変数（パラメータ）の数が減少して発散を防止することができる。
【００５１】
第１実施形態のタービンコンポーネントのひずみ推定方法では、解析モデルを用いて入力する一様な非弾性ひずみとして、線形に変化する非弾性ひずみを設定している。従って、変数（パラメータ）の数が減少して発散を防止することができる。
【００５２】
第１実施形態のタービンコンポーネントのひずみ推定方法では、収束条件として、動翼３１の解析モデル形状３２と変形後の動翼３３の形状との変形差が予め設定された規定値以内にあることを設定している。従って、解析モデル形状３２と変形後の動翼３３の形状との変形差が規定値以内にあるときに、収束条件を満たして解析モデルに入力した非弾性ひずみを確定することで、動翼３１にマークを付けたり、加工を施す必要がなく、容易に変形差を比較することができる。
【００５３】
第１実施形態のタービンコンポーネントのひずみ推定方法では、変形差として、動翼３１の解析モデルの体積形状と変形後の動翼３３の体積形状とのずれ体積量を設定している。従って、高精度に変形差を求めることができる。
【００５４】
また、第１実施形態のタービンコンポーネントのひずみ推定装置にあっては、動翼３１を３次元計測する計測部１２と、計測部１２が計測した変形前の動翼３１の表面及び内部が分割された複数のメッシュを所定の大きさの単位領域に区画し、解析モデルを用いて単位領域の複数のメッシュに対して一様な非弾性ひずみを入力して動翼３１の解析モデル形状３２を求める演算部２１と、動翼３１の解析モデル形状３２と計測部１２が計測した変形後の動翼３３の形状とを比較する比較部２２と、比較部２２の比較結果が収束条件を満たさないときに演算部２１の処理を繰り返す一方、比較部２２の比較結果が収束条件を満たすときに解析モデルに入力する非弾性ひずみを確定する判定部２３とを備える。
【００５５】
従って、単位領域に一様な非弾性ひずみを入力することで、逆解析時における変数（パラメータ）の数が減少して発散を防止することができると共に、自由に非弾性ひずみを入力して解析を行うことで動翼３１に発生した非弾性ひずみを精度良く推定することができる。
【００５６】
また、第１実施形態のタービンコンポーネントの評価方法にあっては、タービンコンポーネントのひずみ推定方法により推定した非弾性ひずみを用いて動翼３１を評価する。従って、逆解析時における変数（パラメータ）の数が減少して発散を防止することができると共に、自由に非弾性ひずみを入力して解析を行うことで動翼３１に発生した非弾性ひずみを精度良く推定することができ、その結果、動翼３１の評価を精度良く実施することができる。
【００５７】
［第２実施形態］
図６は、第２実施形態のタービン動翼のひずみ推定方法を表すフローチャートである。なお、本実施形態の基本的な構成は、上述した第１実施形態とほぼ同様の構成であり、図１を用いて説明すると共に、上述した第１実施形態と同様の機能を有する部材には、同一の符号を付して詳細な説明は省略する。
【００５８】
第２実施形態において、図１に示すように、第２実施形態のタービン動翼の非弾性ひずみ推定装置１０は、解析装置１１に計測部１２と表示部１３と記憶部１４が接続されて構成され、解析装置１１は、演算部２１と、比較部２２と、判定部２３とを備えている。
【００５９】
計測部１２は、使用前（変形前）の動翼３１や使用後（変形後）の動翼３３を３次元計測するものである。解析装置１１は、所定の非弾性ひずみを設定して順解析（ＦＥＭ解析）を行うことで動翼３１の複数の解析モデル形状を形成し、動翼３１の解析モデルと変形後の動翼３１とを比較することで動翼３１における非弾性ひずみの発生量を予測するものである。表示部１３は、解析装置１１が推定した動翼３１における非弾性ひずみの発生量を表示し、記憶部１４は、解析装置１１が演算して求めた複数の解析モデル形状を記憶する。
【００６０】
ここで、タービン動翼のひずみ推定方法を説明する。図６に示すように、ステップＳ４１にて、計測部１２は、変形前の動翼３１の３次元形状を計測し、ステップＳ４２にて、演算部２１は、動翼３１の解析モデルを作成する。そして、ステップＳ４３にて、演算部２１は、解析モデルに複数種類の変形条件（変形モード）を入力して解析することで、動翼３１の複数の解析モデル形状を形成し、記憶部１４に記憶してデータベースを作成する。ここで、複数種類の変形条件（変形モード）とは、例えば、動翼３１に作用する応力、温度などである。
【００６１】
ステップＳ４４にて、計測部１２は、変形後の動翼３３の３次元形状を計測し、ステップＳ４５にて、比較部２２は、記憶部１４のデータベースに記憶された動翼３１の複数の解析モデル形状と変形後の動翼３１の形状とを比較する。そして、ステップＳ４６にて、判定部２３は、複数の解析モデル形状と変形後の動翼３１の形状との変形差が最小となる解析モデル形状に入力した非弾性ひずみの大きさを確定し、推定値として出力する。
【００６２】
このように第２実施形態のタービンコンポーネントのひずみ推定方法にあっては、変形前の動翼３１を３次元計測するステップと、動翼３１の解析モデルを作成するステップと、解析モデルに複数種類の変形条件を入力して動翼３１の複数の解析モデル形状を形成するステップと、変形後の動翼３１を３次元計測するステップと、動翼３１の複数の解析モデル形状と変形後の動翼３１の形状とを比較するステップと、動翼３１の複数の解析モデル形状と変形後の動翼３１の形状との変形差が最小となる解析モデル形状に入力した非弾性ひずみを確定するステップとを有する。
【００６３】
従って、解析モデルに複数種類の変形条件を入力して動翼３１の複数の解析モデル形状を形成し、変形後の動翼３１の形状と比較する。ここで、動翼３１の複数の解析モデル形状と変形後の動翼３１の形状との変形差が最小となる非弾性ひずみを確定して出力する。そのため、逆解析時における変数（パラメータ）の数が減少して発散を防止することができると共に、自由に非弾性ひずみを入力して解析を行うことで動翼３１に発生した非弾性ひずみを精度良く推定することができる。
【００６４】
なお、上述した実施形態では、タービンコンポーネントとしてタービン動翼３１を用いて説明したが、タービン動翼３１に限らず、圧縮機の動翼や他の回転体、その他の部材でもよく、特に、３次元形状をなす部材に有効的である。
【符号の説明】
【００６５】
１０  タービン動翼のひずみ推定装置
１１  解析装置
１２  計測部
１３  表示部
１４  記憶部
２１  演算部
２２  比較部
２３  判定部
３１，３３  タービン動翼（タービンコンポーネント）
３２  解析モデル形状
【図１】
0006578250.tif 000002
【図２】
0006578250.tif 000003
【図３】
0006578250.tif 000004
【図４】
0006578250.tif 000005
【図５】
0006578250.tif 000006
【図６】
0006578250.tif 000007